(57)【要約】【課題】非常用電源のバッテリをリアルタイムで監視しながら、必要な延命措置を施すことにより、バッテリの延命を図り、特に再生された鉛蓄電池の品質を安定的に維持することができるバッテリ監視延命方法及びそれに用いられるバッテリ監視延命装置を提供する。【解決手段】複数のセル１２を有する非常用電源のバッテリ１１の劣化を判定する基となる各セル１２の特性データを定期的に取得する特性データ取得手段１３と、取得された特性データを基に、各セル１２が劣化傾向にあるか否かを判定する劣化傾向判定手段１４と、その判定に基づいて、各セル１２の電極に供給するパルス電流の供給パターンをそれぞれ設定するパルスパターン設定手段１５と、設定されたそれぞれの供給パターンに従って各セル１２の電極にパルス電流を供給するパルス電流供給手段１６とを有する。【選択図】図１
2020149887.tif 000002
【特許請求の範囲】
【請求項１】
複数のセルを有する非常用電源のバッテリの劣化を判定する基となる前記各セルの特性データを定期的に取得する特性データ取得工程と、前記各セルの電極に定期的にパルス電流を供給する定期的延命工程と、前記特性データ取得工程で取得された前記特性データを基に、前記各セルが劣化傾向にあるか否かを判定する劣化傾向判定工程と、該劣化傾向判定工程で劣化傾向にあると判定された前記セルの電極に集中的にパルス電流を供給する集中的延命工程とを有することを特徴とするバッテリ監視延命方法。
【請求項２】
請求項１記載のバッテリ監視延命方法において、前記劣化傾向判定工程で劣化傾向にあると判定された前記セルに対し、劣化傾向にあると判定されなくなるまで前記集中的延命工程を連続して行うことを特徴とするバッテリ監視延命方法。
【請求項３】
請求項１又は２記載のバッテリ監視延命方法において、前記劣化傾向判定工程での判定とは関係なく、複数の前記セルの中から選択した特定の前記セルの電極に集中的にパルス電流を供給する強制延命工程を有することを特徴とするバッテリ監視延命方法。
【請求項４】
請求項１〜３のいずれか１記載のバッテリ監視延命方法において、前記特性データは、前記各セルの内部抵抗、電圧、及び温度のいずれか１以上であることを特徴とするバッテリ監視延命方法。
【請求項５】
請求項４記載のバッテリ監視延命方法において、前記劣化傾向判定工程では、前記特性データ取得工程で取得された前記内部抵抗が、予め設定された規定抵抗値以上となった前記セルを劣化傾向にあると判定することを特徴とするバッテリ監視延命方法。
【請求項６】
請求項４又は５記載のバッテリ監視延命方法において、前記特性データ取得工程で取得された前記内部抵抗が、予め設定された上限抵抗値以上となった前記セルの交換を指示する抵抗異常セル交換指示工程を有することを特徴とするバッテリ監視延命方法。
【請求項７】
請求項４〜６のいずれか１記載のバッテリ監視延命方法において、前記特性データ取得工程で取得された前記電圧が、予め設定された下限電圧値以下となった前記セルの交換を指示する電圧異常セル交換指示工程を有することを特徴とするバッテリ監視延命方法。
【請求項８】
請求項４〜７のいずれか１記載のバッテリ監視延命方法において、前記特性データ取得工程で取得された前記温度が、予め設定された規定温度範囲から外れた前記セルの異常を報知する温度異常報知工程を有することを特徴とするバッテリ監視延命方法。
【請求項９】
請求項１〜８のいずれか１記載のバッテリ監視延命方法に用いられるバッテリ監視延命装置において、前記各セルの特性データを定期的に取得する特性データ取得手段と、該特性データ取得手段で取得された前記特性データを基に、前記各セルが劣化傾向にあるか否かを判定する劣化傾向判定手段と、該劣化傾向判定手段での判定に基づいて、前記各セルの電極に供給するパルス電流の供給パターンをそれぞれ設定するパルスパターン設定手段と、該パルスパターン設定手段で設定されたそれぞれの前記供給パターンに従って前記各セルの電極に前記パルス電流を供給するパルス電流供給手段とを有することを特徴とするバッテリ監視延命装置。
【請求項１０】
請求項９記載のバッテリ監視延命装置において、前記パルスパターン設定手段は、前記劣化傾向判定手段で劣化傾向にあると判定された前記セルの電極に対し、前記パルス電流供給手段から、他の前記セルの電極よりも集中的に前記パルス電流が供給されるように、該パルス電流の供給パターンを設定することを特徴とするバッテリ監視延命装置。
【請求項１１】
請求項９又は１０記載のバッテリ監視延命装置において、前記特性データ取得手段で取得した前記特性データを、ネットワーク回線を介して入手し、遠隔地から前記バッテリを監視する遠隔監視手段を有することを特徴とするバッテリ監視延命装置。
【請求項１２】
請求項１１記載のバッテリ監視延命装置において、前記劣化傾向判定手段での判定とは関係なく、前記遠隔監視手段で選択された特定の前記セルの電極に対し、前記パルス電流供給手段から集中的に前記パルス電流を供給することを特徴とするバッテリ監視延命装置。
【請求項１３】
請求項９〜１２のいずれか１記載のバッテリ監視延命装置において、前記特性データ取得手段は、前記各セルの内部抵抗を測定する内部抵抗測定手段、電圧を測定する電圧測定手段、及び温度を測定する温度測定手段のいずれか１以上を有することを特徴とするバッテリ監視延命装置。
【請求項１４】
請求項１３記載のバッテリ監視延命装置において、前記劣化傾向判定手段は、前記内部抵抗測定手段で取得された前記内部抵抗が、予め設定された規定抵抗値以上となった前記セルを劣化傾向にあると判定することを特徴とするバッテリ監視延命装置。
【請求項１５】
請求項１３記載のバッテリ監視延命装置において、（１）前記内部抵抗測定手段で取得された前記内部抵抗が、予め設定された上限抵抗値以上となった前記セル及び（２）前記電圧測定手段で取得された前記電圧が、予め設定された下限電圧値以下となった前記セルの交換を指示するセル交換指示手段を有することを特徴とするバッテリ監視延命装置。
【請求項１６】
請求項１３又は１５記載のバッテリ監視延命装置において、前記温度測定手段で取得された前記温度が、予め設定された規定温度範囲から外れた前記セルの異常を報知する温度異常報知手段を有することを特徴とするバッテリ監視延命装置。
【発明の詳細な説明】
【技術分野】
【０００１】
本発明は、非常用（バックアップ用）電源として用いられるバッテリ（鉛蓄電池）をリアルタイムで監視しながら、必要な延命措置を施すことにより、バッテリの品質維持及び長寿命化を図るバッテリ監視延命方法及びそれに用いられるバッテリ監視延命装置に関する。
【背景技術】
【０００２】
従来、商業施設、公共施設、工場、又は病院等の各種施設の多くには、非常用（バックアップ用）電源として、バッテリを搭載した無停電電源装置等が設置されている。この非常用電源は、商用電源に停電等の異常事態が発生した際に、商用電源に代わって電力を供給できるように備えるものであり、安全上、非常に重要な役割を担っている。したがって、いつ停電事故が発生しても対応できるように、バッテリには常に充分な充電が行われていなければならない。そこで、非常用電源は、負荷に対し商用電源と並列に接続され、通常はフロート充電と呼ばれる小さな電流で商用電源からバッテリに充電されて、満充電状態に維持されている。しかし、絶えずフロート充電が行われているバッテリは、徐々に劣化し、やがては負荷に対して充分な電力を供給できない状態に至ることが知られている。したがって、日常的に点検を行うことが望ましいが、人手と手間がかかるため、通常は、半年に１回又は１年に１回程度の定期点検を行っている。その場合でも、バッテリの数が増えると、多額の人件費が発生するという問題がある。また、バッテリは、使用機会が少なくても、経年変化によっても劣化するため、設置から一定期間（例えば、６〜１０年）が経過する毎に新品と交換され、廃棄処分されている。このような定期交換では、良好な性能が維持されている（劣化が発生していない）バッテリでも交換されてしまうため、極めて不経済で省資源性に欠けるという問題がある。特に、通信機器や制御装置等に備え付けられている全てのバッテリを定期的に交換する場合、対象となる装置の数は膨大であり、バッテリの購入、搬送、交換及び回収に多大な費用と労力を必要とするという問題もある。
そこで、例えば、特許文献１では、遠隔のローカルコントローラ及びシステムコントローラで、通信ネットワークを介して蓄電システムを監視及び制御し、蓄電池（バッテリ）に含まれる複数の単位電池（セル）の状態や余寿命を把握する蓄電池監視方法及び監視コントローラが提案されている。また、特許文献２では、バックアップ電源用のバッテリの劣化状態を自動的に測定して遠隔監視を行うバッテリ劣化監視システムが提案されている。
一方、非常用電源として好適に用いられる鉛蓄電池（バッテリ）では、充電と放電を繰返すことによって、電解液中の硫酸と電極板の鉛が化学反応を起こし、負極表面において、結晶化した不導体の硫酸鉛（ＰｂＳＯ４）が皮膜となって電極板に付着して、電極の電気化学的な活性が失われる現象（サルフェーション）が発生し、これがバッテリの劣化の原因となっている。よって、鉛蓄電池の電極に付着した硫酸鉛の皮膜を除去することにより、鉛蓄電池の長寿命化を図ることができる。例えば、特許文献３では、鉛蓄電池のサルフェーション現象によって生じる硫酸鉛の皮膜を溶解還元又は分解還元することにより除去し、鉛蓄電池を再生する方法及び該方法に用いられる硫酸鉛皮膜除去装置が提案されている。
【先行技術文献】
【特許文献】
【０００３】
【特許文献１】国際公開第２０１６／１３５９１３号
【特許文献２】特開２００７−３３３３９３号公報
【特許文献３】特開２０１１−７１００１号公報
【発明の概要】
【発明が解決しようとする課題】
【０００４】
しかしながら、特許文献１及び特許文献２のような遠隔監視では、バッテリの劣化（又は異常）が発生した際に、各種報知手段により報知され、劣化したバッテリが定期交換まで放置されることなく、新たなバッテリと交換されるので、監視や点検の作業負担は軽減されるものの、バッテリの延命を図ることはできなかった。一方、特許文献３は、既に寿命と判断されて廃棄（回収）された鉛蓄電池を対象に再生を行うものであり、使用中の鉛蓄電池（バッテリ）の延命を図るものではなかった。また、再生された鉛蓄電池は、充分な能力を有するにも関わらず、ユーザの品質の安定性及び耐久性等に対する不安から、需要が低く、用途も限定されていた。
本発明はかかる事情に鑑みてなされたもので、非常用電源のバッテリをリアルタイムで監視しながら、必要な延命措置を施すことにより、バッテリの延命を図り、特に再生された鉛蓄電池の品質を安定的に維持することができるバッテリ監視延命方法及びそれに用いられるバッテリ監視延命装置を提供することを目的とする。
【課題を解決するための手段】
【０００５】
前記目的に沿う第１の発明に係るバッテリ監視延命方法は、複数のセルを有する非常用電源のバッテリの劣化を判定する基となる前記各セルの特性データを定期的に取得する特性データ取得工程と、前記各セルの電極に定期的にパルス電流を供給する定期的延命工程と、前記特性データ取得工程で取得された前記特性データを基に、前記各セルが劣化傾向にあるか否かを判定する劣化傾向判定工程と、該劣化傾向判定工程で劣化傾向にあると判定された前記セルの電極に集中的にパルス電流を供給する集中的延命工程とを有する。
【０００６】
第１の発明に係るバッテリ監視延命方法において、前記劣化傾向判定工程で劣化傾向にあると判定された前記セルに対し、劣化傾向にあると判定されなくなるまで前記集中的延命工程を連続して行うことが好ましい。
【０００７】
第１の発明に係るバッテリ監視延命方法において、前記劣化傾向判定工程での判定とは関係なく、複数の前記セルの中から選択した特定の前記セルの電極に集中的にパルス電流を供給する強制延命工程を有することもできる。
【０００８】
第１の発明に係るバッテリ監視延命方法において、前記特性データは、前記各セルの内部抵抗、電圧、及び温度のいずれか１以上であることが好ましい。
【０００９】
第１の発明に係るバッテリ監視延命方法において、前記劣化傾向判定工程では、前記特性データ取得工程で取得された前記内部抵抗が、予め設定された規定抵抗値以上となった前記セルを劣化傾向にあると判定することが好ましい。
【００１０】
第１の発明に係るバッテリ監視延命方法において、前記特性データ取得工程で取得された前記内部抵抗が、予め設定された上限抵抗値以上となった前記セルの交換を指示する抵抗異常セル交換指示工程を有することが好ましい。
【００１１】
第１の発明に係るバッテリ監視延命方法において、前記特性データ取得工程で取得された前記電圧が、予め設定された下限電圧値以下となった前記セルの交換を指示する電圧異常セル交換指示工程を有することが好ましい。
【００１２】
第１の発明に係るバッテリ監視延命方法において、前記特性データ取得工程で取得された前記温度が、予め設定された規定温度範囲から外れた前記セルの異常を報知する温度異常報知工程を有することが好ましい。
【００１３】
前記目的に沿う第２の発明に係るバッテリ監視延命装置は、第１の発明に係るバッテリ監視延命方法に用いられるバッテリ監視延命装置において、前記各セルの特性データを定期的に取得する特性データ取得手段と、該特性データ取得手段で取得された前記特性データを基に、前記各セルが劣化傾向にあるか否かを判定する劣化傾向判定手段と、該劣化傾向判定手段での判定に基づいて、前記各セルの電極に供給するパルス電流の供給パターンをそれぞれ設定するパルスパターン設定手段と、該パルスパターン設定手段で設定されたそれぞれの前記供給パターンに従って前記各セルの電極に前記パルス電流を供給するパルス電流供給手段とを有する。
【００１４】
第２の発明に係るバッテリ監視延命装置において、前記パルスパターン設定手段は、前記劣化傾向判定手段で劣化傾向にあると判定された前記セルの電極に対し、前記パルス電流供給手段から、他の前記セルの電極よりも集中的に前記パルス電流が供給されるように、該パルス電流の供給パターンを設定することが好ましい。
【００１５】
第２の発明に係るバッテリ監視延命装置において、前記特性データ取得手段で取得した前記特性データを、ネットワーク回線を介して入手し、遠隔地から前記バッテリを監視する遠隔監視手段を有することもできる。
【００１６】
第２の発明に係るバッテリ監視延命装置において、前記劣化傾向判定手段での判定とは関係なく、前記遠隔監視手段で選択された特定の前記セルの電極に対し、前記パルス電流供給手段から集中的に前記パルス電流を供給してもよい。
【００１７】
第２の発明に係るバッテリ監視延命装置において、前記特性データ取得手段は、前記各セルの内部抵抗を測定する内部抵抗測定手段、電圧を測定する電圧測定手段、及び温度を測定する温度測定手段のいずれか１以上を有することが好ましい。
【００１８】
第２の発明に係るバッテリ監視延命装置において、前記劣化傾向判定手段は、前記内部抵抗測定手段で取得された前記内部抵抗が、予め設定された規定抵抗値以上となった前記セルを劣化傾向にあると判定することが好ましい。
【００１９】
第２の発明に係るバッテリ監視延命装置において、（１）前記内部抵抗測定手段で取得された前記内部抵抗が、予め設定された上限抵抗値以上となった前記セル及び（２）前記電圧測定手段で取得された前記電圧が、予め設定された下限電圧値以下となった前記セルの交換を指示するセル交換指示手段を有することが好ましい。
【００２０】
第２の発明に係るバッテリ監視延命装置において、前記温度測定手段で取得された前記温度が、予め設定された規定温度範囲から外れた前記セルの異常を報知する温度異常報知手段を有することが好ましい。
【発明の効果】
【００２１】
第１の発明に係るバッテリ監視延命方法及び第２の発明に係るバッテリ監視延命装置は、非常用電源のバッテリの各セルに対して定期的に延命措置を施しながら、劣化傾向を監視し、劣化傾向にあるセルの電極には集中的に（例えば定期的な延命措置より短い周期又は高い頻度で）パルス電流を供給して、劣化の進行を遅らせることができる。また、各セルの各種特性データの変化に応じて、適宜、セルの交換を指示することや、異常を報知することができる。さらに、バッテリを遠隔から監視することもできる。これらにより、バッテリの品質を長期間にわたって安定的に維持し、非常時の電力供給に確実に備えることができる。特に、バッテリが、再生された鉛蓄電池（以下、再生鉛蓄電池ともいう）である場合の品質保証に好適に用いることができ、再生鉛蓄電池の需要及び用途の拡大を図ることができる。
【図面の簡単な説明】
【００２２】
【図１】本発明の一実施の形態に係るバッテリ監視延命方法に用いられるバッテリ監視延命装置の構成を示すブロック図である。
【図２】同バッテリ監視延命装置の特性データ取得手段の構成を示すブロック図である。
【図３】同バッテリ監視延命装置の動作を示すフローチャートである。
【発明を実施するための形態】
【００２３】
続いて、添付した図面を参照しつつ、本発明を具体化した実施の形態につき説明し、本発明の理解に供する。
図１及び図２に示す本発明の一実施の形態に係るバッテリ監視延命方法に用いられるバッテリ監視延命装置１０は、非常用（バックアップ用）電源として用いられるバッテリ（例えば鉛蓄電池）１１をリアルタイムで監視しながら、必要な延命措置を施すことにより、バッテリ１１の品質維持及び長寿命化を図るためのものである。
ここで、バッテリ１１は、複数のセル（単位電池）１２が直列に接続されているが、バッテリの構成は、これに限定されるものではなく、複数のセルが、直列と並列を組合せて接続されたものでもよいし、並列に接続されたものでもよい。
【００２４】
まず、バッテリ監視延命装置１０は、図１に示すように、各セル１２に接続されてそれぞれのセル１２の特性データを定期的に取得する特性データ取得手段１３と、特性データ取得手段１３で取得された特性データを基に、各セル１２が劣化傾向にあるか否かを判定する劣化傾向判定手段１４を有している。また、バッテリ監視延命装置１０は、劣化傾向判定手段１４での判定に基づいて、各セル１２の電極（図示せず）に供給するパルス電流の供給パターンをそれぞれ設定するパルスパターン設定手段１５と、パルスパターン設定手段１５で設定されたそれぞれの供給パターンに従って各セル１２の電極にパルス電流を供給するパルス電流供給手段１６とを有している。そして、劣化傾向判定手段１４で劣化傾向にあると判定されたセル１２の電極に対して、パルス電流供給手段１６から、他のセル１２の電極よりも集中的にパルス電流を供給することにより、サルフェーションを低減（電極に付着した不導体の皮膜を部分的に破壊（除去）、或いは電極に付着する不導体の皮膜の付着量を削減（成長を抑制））して、セルの劣化の進行を遅らせ、延命を図ることができる。
【００２５】
ここで、各セル１２の電極にパルス電流を供給する場合、通常は、所定の周期でパルス電流を繰返し供給した後、休止時間を挟んで、再度、所定の周期でパルス電流を繰返し供給するというパターン（パルスパターン）を繰返す。よって、パルスパターン設定手段１５で設定されるパルス電流の供給パターンのパラメータとしては、パルス電流を繰返し供給する際の周期Ｔ１、パルス電流の電流値Ｉ、パルス電流のパルス幅Ｔｗ、パルス電流を所定の周期Ｔ１で繰返し供給する際の繰返し回数ｎ、所定の周期Ｔ１でパルス電流をｎ回繰返し供給した後、次にパルス電流の供給を開始するまでの休止時間ＴＳがある。そして、集中的にパルス電流を供給することには、例えば劣化傾向にあると判定されたセル１２の電極にパルス電流を供給する際に、他の（正常な）セル１２の電極よりも、ａ）周期Ｔ１を短くすること、ｂ）電流値Ｉを高くすること、ｃ）パルス幅Ｔｗを長くすること、ｄ）繰返し回数ｎを多くすること、ｅ）休止時間ＴＳを短くすること、及びｆ）ａ）〜ｅ）のいずれか２以上を組合せることが含まれる。具体的には、例えば、通常状態では（正常なセル１２の電極に対しては）、１カ月に１回（定期的に）、５日間だけパルス電流を所定の周期で供給するようにし、劣化傾向にあると判定されたセル１２の電極に対しては、繰返し行われる劣化傾向判定手段１４による判定で、劣化傾向にあると判定されなくなるまで毎日（連続的に）、パルス電流を所定の周期で供給することにより、集中的にパルス電流を供給することができる。
このように、各セル１２の状態（劣化傾向の有無）に応じて、パルスパターン設定手段１５で、各セル１２の電極に供給するパルス電流の供給パターンをそれぞれ設定することにより、必要な延命措置を施すことができる。
【００２６】
また、バッテリ監視延命装置１０は、特性データ取得手段１３で取得した特性データを、ネットワーク回線１７を介して入手し、遠隔地からバッテリ１１を監視する遠隔監視手段１８を有することもできる。これにより、バッテリ１１の設置場所から離れた場所からもリルタイムでバッテリ１１の状態を確認することができ、省力性に優れる。特に、バッテリ１１が複数の設置場所に設置されている場合でも、ネットワーク回線１７を介して、１つの遠隔監視手段１８で集中管理（一元管理）することができ、見回り及び保守に要する費用を削減できる。ネットワーク回線１７は有線でも無線でもよい。
さらに、劣化傾向判定手段１４での判定とは関係なく、管理者が、遠隔監視手段１８を用いて特定のセル１２を選択し、選択された特定のセル１２の電極に対し、パルス電流供給手段１６から集中的にパルス電流を供給するようにしてもよい。この場合、遠隔監視手段１８からパルスパターン設定手段１５に指示して、特定のセル１２の電極に供給するパルス電流の供給パターンを設定することができる。これにより、劣化傾向判定手段１４での判定のみに頼らず、強制的に延命措置を施すことができ、汎用性に優れる。この強制的延命措置は、例えば、特性データ取得手段１３で取得した特性データを管理者が確認して、劣化傾向判定手段１４での判定が間違っていた場合、劣化傾向にはないが、劣化傾向に近い状態が継続している場合等に有益である。
【００２７】
次に、特性データ取得手段１３の詳細について説明する。
特性データ取得手段１３は、図２に示すように、各セル１２の内部抵抗を測定する内部抵抗測定手段２０、電圧を測定する電圧測定手段２１、及び温度を測定する温度測定手段２２を有している。これにより、劣化傾向判定手段１４は、内部抵抗測定手段２０で取得された内部抵抗が、予め設定された規定抵抗値（例えば基準抵抗値の１．５倍）以上となったセル１２を劣化傾向にあると判定することができる。
また、バッテリ監視延命装置１０は、各セル１２が寿命に近付いた際に、該当するセル１２の交換を指示するセル交換指示手段２３を有している。そして、セル交換指示手段２３は、内部抵抗測定手段２０で取得された内部抵抗が、予め設定された上限抵抗値（例えば基準抵抗値の２倍）以上となったセル１２及び電圧測定手段２１で取得された電圧が、予め設定された下限電圧値（例えば基準電圧値の７５％）以下となったセル１２の交換を指示することができる。
さらに、バッテリ監視延命装置１０は、各セル１２に温度異常が発生した際に、該当するセル１２の異常を報知して点検を促す温度異常報知手段２４を有している。そして、温度異常報知手段２４は、温度測定手段２２で取得された温度が、予め設定された規定温度範囲（例えば０〜４０℃）から外れたセル１２の温度異常を報知することができる。
【００２８】
ここで、バッテリ監視延命装置１０は、ＲＡＭ、ＣＰＵ、ＲＯＭ、Ｉ／Ｏ、及びこれらの要素を接続するバス（図示せず）を備えた従来公知の汎用のコンピュータを、バッテリ監視延命装置１０全体を制御する制御部２５として好適に用いることができる。そして、そのコンピュータを基本ハードウェアとして、ＣＰＵに所定のプログラムを実行させることにより、コンピュータを劣化傾向判定手段１４、パルスパターン設定手段１５、セル交換指示手段２３、及び温度異常報知手段２４として機能させることができる。所定のプログラムは、予めコンピュータにインストールしてもよいし、ＣＤ−ＲＯＭ等の記憶媒体に記憶したものを適宜、読み出して実行させてもよい。
セル交換指示手段２３及び温度異常報知手段２４は、制御部（コンピュータ）２５及び遠隔監視手段１８に接続されるモニタ（図示せず）上で、文字若しくは記号等の表示、点滅、又は色の変化等を用いて、セル１２の交換指示及び温度異常の報知を行うことができる。また、モニタでの表示に加えて又は代えて、スピーカから音声若しくは警告音を発したり、警告灯を点灯若しくは点滅させたりしてもよい。さらに、遠隔監視手段１８として、メール受信機能を有するコンピュータ又は携帯端末等を用いる場合は、メールで通知することもできる。
制御部２５は、特性データ取得手段１３で取得した特性データ及び各セル１２に供給したパルス電流の供給パターンの履歴等を記憶及び集計することができる。これにより、バッテリ監視延命装置１０のユーザ（管理者）は、必要に応じて、それらのデータを取り出し、各セル１２に異常が発生するまでの経緯を確認することができる。
なお、本実施の形態では、コンピュータを劣化傾向判定手段１４、パルスパターン設定手段１５、セル交換指示手段２３、及び温度異常報知手段２４として機能させたが、これらの各手段は、協同して上記の動作を行うことができればよく、その構成は特に限定されず、それぞれが独立していてもよいし、一部が一体化されていてもよい。
【００２９】
次に、本発明の一実施の形態に係るバッテリ監視延命方法をバッテリ監視延命装置１０の動作に基づいて説明する。
図３に示すように、バッテリ監視延命装置１０が動作を開始すると、まず、各セル１２の電極に対して定期的にパルス電流が供給される。このパルス電流の供給パターンは、図１に示したパルスパターン設定手段１５で設定され、各パルス電流供給手段１６から各セル１２にパルス電流が供給される（以上、定期的延命工程）。
これと並行して、バッテリ監視延命装置１０は、バッテリ１１の劣化を判定する基となる各セル１２の特性データを定期的に取得する。この特性データの取得は、図１に示した特性データ取得手段１３によって行われる。具体的には、図２に示した内部抵抗測定手段２０、電圧測定手段２１、及び温度測定手段２２により、各セル１２の内部抵抗、電圧、及び温度を測定する。なお、特性データを取得する周期は、各セル１２にパルス電流を供給する周期と関係なく、適宜、選択することができる（以上、特性データ取得工程）。
【００３０】
そして、バッテリ監視延命装置１０は、特性データ取得工程で取得された特性データを基に、次に行う動作を決定する。まず、電圧測定手段２１で取得された電圧が、予め設定された下限電圧値以下となったか否かを判定する。ここで、電圧が下限電圧値以下となったセル１２については、電圧異常セルと判定してセル交換指示手段２３から交換を指示する（以上、電圧異常セル交換指示工程）。
電圧が下限電圧値以下ではないセル１２については、次に、特性データ取得工程で取得された温度が、予め設定された規定温度範囲から外れたか否かを判定する。ここで、温度が規定温度範囲外となったセル１２については、温度異常セルと判定して温度異常報知手段２４から温度異常を報知する（以上、温度異常報知工程）。
温度が規定温度範囲外ではないセル１２については、次に、特性データ取得工程で取得された内部抵抗が、予め設定された規定抵抗値以上となったか否かを判定する。ここで、内部抵抗が規定抵抗値以上となったセル１２については、劣化傾向にある（劣化傾向セル）と判定し、内部抵抗が規定抵抗値以上ではないセル１２については、正常セルと判定する（以上、劣化傾向判定工程）。
【００３１】
そして、劣化傾向にあると判定されたセル１２については、さらに、特性データ取得工程で取得された内部抵抗が、予め設定された上限抵抗値以上となったか否かを判定する。ここで、内部抵抗が上限抵抗値以上となったセル１２については、抵抗異常セルと判定してセル交換指示手段２３から交換を指示する（以上、抵抗異常セル交換指示工程）。
また、内部抵抗が規定抵抗値以上で上限抵抗値以上ではないセル１２の電極には、集中的にパルス電流を供給する。このとき、図１に示したパルスパターン設定手段１５から、該当するセル１２に接続されたパルス電流供給手段１６に対して、パルス電流の供給パターンの変更が指示され、該当するセル１２の電極に連続的に（短い周期で）パルス電流が供給される。パルス電流の供給パターンは適宜、選択することができるが、例えば繰返し行われる劣化傾向判定工程で劣化傾向にあると判定されなくなるまで連続的に（或いは長期間にわたって断続的に）行うことが好ましい。（以上、集中的延命工程）。
以上の動作を各セル１２について定期的（周期的）に繰返すことにより、バッテリ１１の品質を長期間にわたって安定的に維持し、非常時の電力供給に確実に備えることができる。
なお、図１に示したように、バッテリ監視延命装置１０が遠隔監視手段１８を有する場合は、劣化傾向判定工程での判定とは関係なく、複数のセル１２の中から選択した特定のセル１２の電極に集中的にパルス電流を供給する強制延命工程を行うこともできる。
【００３２】
以上、本発明の実施の形態を説明したが、本発明は何ら上記した実施の形態に記載の構成に限定されるものではなく、特許請求の範囲に記載されている事項の範囲内で考えられるその他の実施の形態や変形例も含むものである。
例えば、バッテリ監視延命方法において、電圧異常セル、温度異常セル、抵抗異常セル、及び劣化傾向セルを判定する順番や組合せ等は適宜、選択することができる。
また、セルの電極に対してパルス電流を集中的に（短い周期で連続的に）供給する場合、同じ波形のパルス電流を繰返し供給してもよいし、波形（電流値やパルス幅等）の異なるパルス電流を順次、供給してもよい。さらに、パルス電流を集中的（連続的）に供給する場合の周期は、全て同一である必要はなく、異なっていてもよい。なお、パルス電流の波形としては、矩形波以外にも、レイズドコサイン波、三角波、及び鋸歯状波等の波形やこれらを合成した波形も適用可能である。
また、劣化傾向判定工程は、特性データ取得工程と同様に、定期的（周期的）に行われるが、劣化傾向判定工程の周期と、特性データ取得工程の周期は必ずしも一致している必要はなく、特性データ取得工程の周期よりも長い周期でもよい。
【符号の説明】
【００３３】
１０：バッテリ監視延命装置、１１：バッテリ、１２：セル、１３：特性データ取得手段、１４：劣化傾向判定手段、１５：パルスパターン設定手段、１６：パルス電流供給手段、１７：ネットワーク回線、１８：遠隔監視手段、２０：内部抵抗測定手段、２１：電圧測定手段、２２：温度測定手段、２３：セル交換指示手段、２４：温度異常報知手段、２５：制御部
【図１】
2020149887.tif 000003
【図２】
2020149887.tif 000004
【図３】
2020149887.tif 000005